(57)【要約】【課題】  物流における物の位置を正確に取得することを可能とする納品管理方法、納品管理システム、納品管理プログラム、納品管理プログラムを記録した記録媒体を提供する。【解決手段】  納品物の管理を行う納品管理端末と、納品物の発注が行われる発注端末とを含む納品管理システムであって、納品管理端末は、発注端末から発注を受け付ける発注受付手段と、発注された納品物の納期に関する納期情報が入力される納期情報入力手段と、納品物を識別する識別コードと、該納品物に取り付けられるＧＰＳモジュールとを関連付ける関連付け手段と、納品物の出荷に関する出荷情報が入力される出荷情報入力手段とを有し、発注端末は、納品物の位置を確認する位置確認手段を有する。【選択図】  図１
2006323601.tif 000002
【特許請求の範囲】
【請求項１】
納品物の管理を行う納品管理端末と、前記納品物の発注が行われる発注端末とを含む納品管理システムであって、
前記納品管理端末は、
前記発注端末から発注を受け付ける発注受付手段と、
発注された納品物の納期に関する納期情報が入力される納期情報入力手段と、
前記納品物を識別する識別コードと、該納品物に取り付けられるＧＰＳモジュールとを関連付ける関連付け手段と、
前記納品物の出荷に関する出荷情報が入力される出荷情報入力手段と
を有し、
前記発注端末は、前記納品物の位置を確認する位置確認手段を有することを特徴とする納品管理システム。
【請求項２】
前記納品管理端末は、
前記納期情報と、前記出荷情報と、前記納品物の在庫情報のうちの１つ以上の情報を、前記発注端末に出力する情報出力手段を有することを特徴とする請求項１に記載の納品管理システム。
【請求項３】
前記情報出力手段は、ＣＳＶフォーマットで前記情報を出力することを特徴とする請求項２に記載の納品管理システム。
【請求項４】
納品物の管理を行う納品管理端末と、前記納品物の発注が行われる発注端末とを含む納品管理システムでの納品管理方法であって、
前記納品管理端末が、
前記発注端末から発注を受け付ける発注受付段階と、
発注された納品物の納期に関する納期情報が入力される納期情報入力段階と、
前記納品物を識別する識別コードと、該納品物に取り付けられるＧＰＳモジュールとを関連付ける関連付け段階と、
前記納品物の出荷に関する出荷情報が入力される出荷情報入力段階と
を有し、
前記発注端末は、前記納品物の位置を確認する位置確認段階を有することを特徴とする納品管理方法。
【請求項５】
前記納品管理端末が、
前記納期情報と、前記出荷情報と、前記納品物の在庫情報のうちの１つ以上の情報を、前記発注端末に出力する情報出力段階を有することを特徴とする請求項４に記載の納品管理方法。
【請求項６】
前記情報出力段階は、ＣＳＶフォーマットで前記情報を出力することを特徴とする請求項５に記載の納品管理方法。
【請求項７】
請求項４から６のいずれか１項に記載の納品管理方法をコンピュータで実行させるための納品管理プログラム。
【請求項８】
請求項７に記載の納品管理プログラムを記録したコンピュータ読取可能な記録媒体。
【発明の詳細な説明】
【技術分野】
【０００１】
本発明は、発注された納品物の管理を行う納品管理方法、納品管理システム、納品管理プログラム、納品管理プログラムを記録した記録媒体に関する。
【背景技術】
【０００２】
従来より、物流などの物の流れを管理するものとして、コンピュータシステムは必要不可欠なものとなっている。特許文献１には通信衛星を使用した廃棄物処理情報システムが開示されている。この特許文献１には、廃棄物の収集から廃棄処理までを容器または運搬車ごとに個別管理するようにした収集廃棄処理情報システムの提供を課題に対する解決手段が開示されている。
【０００３】
また、例えば宅配便においては、荷物がどのような状態になっているかをインターネットで知ることができる。
【０００４】
知ることができる状態として、宅配中の状態であることや、中継点に届いた状態であることなどが挙げられる。
【特許文献１】特開平１０−９５５０６号公報
【発明の開示】
【発明が解決しようとする課題】
【０００５】
上述した宅配便などに限らず、ある場所から他の場所へ物を移動することはよくあるが、その物の位置を正確に知ることはできなかった。そのため、例えば物の到着がいつになるか分からないため、納入先としては時間を浪費することなどがあった。
【０００６】
本発明はこのような問題点に鑑み、物流における物の位置を正確に取得することを可能とする納品管理方法、納品管理システム、納品管理プログラム、納品管理プログラムを記録した記録媒体を提供することを目的とする。
【課題を解決するための手段】
【０００７】
上記課題を解決するために、本発明は、納品物の管理を行う納品管理端末と、前記納品物の発注が行われる発注端末とを含む納品管理システムであって、前記納品管理端末は、前記発注端末から発注を受け付ける発注受付手段と、発注された納品物の納期に関する納期情報が入力される納期情報入力手段と、前記納品物を識別する識別コードと、該納品物に取り付けられるＧＰＳモジュールとを関連付ける関連付け手段と、前記納品物の出荷に関する出荷情報が入力される出荷情報入力手段とを有し、前記発注端末は、前記納品物の位置を確認する位置確認手段を有することを特徴とする。
【０００８】
また、上記課題を解決するために、本発明は、前記納品管理端末は、前記納期情報と、前記出荷情報と、前記納品物の在庫情報のうちの１つ以上の情報を、前記発注端末に出力する情報出力手段を有することを特徴とする。
【０００９】
また、上記課題を解決するために、本発明は、前記情報出力手段は、ＣＳＶフォーマットで前記情報を出力することを特徴とする。
【００１０】
また、上記課題を解決するために、本発明は、納品物の管理を行う納品管理端末と、前記納品物の発注が行われる発注端末とを含む納品管理システムでの納品管理方法であって、前記納品管理端末が、前記発注端末から発注を受け付ける発注受付段階と、発注された納品物の納期に関する納期情報が入力される納期情報入力段階と、前記納品物を識別する識別コードと、該納品物に取り付けられるＧＰＳモジュールとを関連付ける関連付け段階と、前記納品物の出荷に関する出荷情報が入力される出荷情報入力段階とを有し、前記発注端末は、前記納品物の位置を確認する位置確認段階を有することを特徴とする。
【００１１】
また、上記課題を解決するために、本発明は、前記納品管理端末が、前記納期情報と、前記出荷情報と、前記納品物の在庫情報のうちの１つ以上の情報を、前記発注端末に出力する情報出力段階を有することを特徴とする。
【００１２】
また、上記課題を解決するために、本発明は、前記情報出力段階は、ＣＳＶフォーマットで前記情報を出力することを特徴とする。
【００１３】
また、上記課題を解決するために、本発明は、請求項４から６のいずれか１項に記載の納品管理方法をコンピュータで実行させるための納品管理プログラム。
【００１４】
また、上記課題を解決するために、本発明は、請求項７に記載の納品管理プログラムを記録したコンピュータ読取可能な記録媒体。
【発明の効果】
【００１５】
本発明によれば、物流における物の位置を正確に取得することを可能とする納品管理方法、納品管理システム、納品管理プログラム、納品管理プログラムを記録した記録媒体を提供できる。
【発明を実施するための最良の形態】
【００１６】
以下、本発明の実施の形態について図面に基づいて説明する。
【００１７】
図１は、本実施の形態における納品物管理システムの全体構成図である。図１には、発注端末１と、ネットワーク２と、納品管理端末３と、納品物４と、ＧＰＳ衛星５と、基地局６とが示されている。
【００１８】
発注端末１は、納品物の発注を行うとともに、ＧＰＳを用いて納品物の位置を確認したりする。ネットワーク２は、発注端末１と、納品管理端末３と、基地局６とを接続するもので、例えばインターネットである。
【００１９】
納品管理端末３は、発注端末１からの発注の受け付け、発注された納品物の納期に関する納期情報の入力、納品物を識別する識別コードと、該納品物に取り付けられるＧＰＳモジュールとを関連付け、納品物の出荷に関する出荷情報が入力、納期情報と出荷情報と納品物の在庫情報のうちの１つ以上の情報の発注端末１への出力が行われる。
【００２０】
納品物４は、図に示されるように例えばトラックの荷台に積まれ、ＧＰＳモジュールが取り付けられた納品物で、ＧＰＳモジュールと、基地局６への通信機能を有する。そして、ＧＰＳモジュールより位置情報を取得し、基地局に対して納品物に割り当てられたコードとともに位置情報を送信する。このような機能を有するＧＰＳモジュールとして、例えばＧＰＳ機能付き携帯電話などが挙げられる。
【００２１】
基地局６は納品物に取り付けられたＧＰＳモジュールから無線により送信される位置情報と納品物に割り当てられたコードを受信し、発注端末１へそれらの情報を提供する。
【００２２】
次に、納品物にどのようにＧＰＳモジュールが取り付けられるかの一例を、図２を用いて説明する。図２には、納品物４１と、ＧＰＳモジュール４０とが示されている。この図に示されるように納品物４１の外部に取り付けるか、あるいは納品物のパッケージ自体にＩＣチップを埋め込むなどの取り付け方がある。
【００２３】
次に、発注端末１と納品管理端末３など、コンピュータシステムのハードウェア構成について、図３を用いて説明する。
【００２４】
コンピュータシステムは、図３に示されるように、表示装置１４と、インタフェース装置１６と、演算処理装置１８と、入力装置２０と、ドライブ装置２２と、主記憶装置２４と、補助記憶装置２６とを有し、それらはバスで接続されている。また、ドライブ装置２２は、ＣＤやＤＶＤなどの記録媒体３４を読み込むことができる。
【００２５】
次に、各装置の説明をする。表示装置１４は、コンピュータを操作するために必要な各種情報を表示する。入力装置２０は、使用者が操作するキーボードやマウスなどで構成される。インタフェース装置１６は、コンピュータと上述したネットワークを接続するためのＮＩＣ（Network Interface Card）或いはインターネットと直接接続されたモデム又はルータである。ドライブ装置２２は、着脱自在な記録媒体の読み書きが可能であり、例えば記録媒体からプログラム読み込み、補助記憶装置２６にインストールするときに用いられる。演算処理装置１８は、補助記憶装置２６に格納されたプログラムを読み込んでそのプログラムを実行し、プログラムやデータなどを記憶するために主記憶装置２４を用いる。
【００２６】
次に、図４を用いて、発注端末のソフトウェアブロックについて説明する。発注端末のソフトウェアは、発注部６１と、位置確認部６２と、情報取得部６３と、情報閲覧部６４を含むように構成される。発注部６１は、発注者からの入力により、納品物を納品管理サーバに発注する。位置確認部６２は、基地局に問い合わせることにより納品物の位置を確認する。情報取得部６３は、納品管理端末が出力する情報を取得する。情報閲覧部６４は、納品管理端末が出力した情報を閲覧したり、ネットワークを介して納品管理端末の情報を閲覧することも可能である。この情報閲覧部６４として例えばインターネットブラウザが挙げられる。
【００２７】
次に、図５を用いて納品管理端末のソフトウェアブロックについて説明する。納品管理端末のソフトウェアは、発注受付部５１と、納期情報入力部５２と、識別コード関連付け部５３と、出荷情報入力部５４と、情報出力部５５とを含むように構成される。
【００２８】
発注受付部５１は、発注端末から発注を受け付ける。納期情報入力部５２は、発注された納品物の納期に関する納期情報が入力される。これは納品者により行われるが、在庫がある場合には自動的に納期情報を作成し、自らに入力するようにしてもよい。また、納期情報は、例えば納期の年月日を示す情報が例として挙げられる。この納期情報を入力する場合は、その納品物の在庫情報が参照されることが多い。この在庫情報としては、後述する商品コードと、その在庫の個数が挙げられる。
【００２９】
識別コード関連付け部５３は、納品物を識別する識別コードと、その納品物に取り付けられるＧＰＳモジュールとを関連付ける。識別コードは、納品物に対して一意的に割り当てられ、この識別コードとしてバーコードを用いるようにしても良い。
【００３０】
出荷情報入力部５４は、納品物の出荷に関する出荷情報が入力される。これは納品者により行われる。また、出荷情報として出荷した年月日と時刻からなる情報が挙げられる。情報出力部５５は、納期情報と、出荷情報と、在庫情報のうちの１つ以上の情報を、発注端末に出力する。出力される情報は、ＣＳＶフォーマットとして出力される。このように汎用性の高いＣＳＶフォーマットで出力することにより、納品物を扱う業者は情報を管理しやすくなり、また発注端末は複数の業者からの情報を統一的に扱うことが可能となる。
【００３１】
以上説明した発注受付部５１は、発注受付手段に対応する。納期情報入力部５２は、納期情報入力手段に対応する。識別コード関連付け部５３は、関連付け手段に対応する。出荷情報入力部５４は、出荷情報入力手段に対応する。情報出力部５５は、情報出力手段に対応する。位置確認部６２は、位置確認手段に対応する。
【００３２】
次に、図６と図７とを用いて発注端末と納品管理端末が有する発注端末用データベース（以下、ＤＢと記す）のデータ構造について説明する。図６に示される発注端末用ＤＢは、発注受付番号と、商品コードと、出荷情報と、納期情報と、在庫情報と、発注情報と、位置情報と、識別コードを有する構造となっている。
【００３３】
また、図７に示される納品管理端末用ＤＢは、発注受付番号と、商品コードと、出荷情報と、納期情報と、在庫情報と、識別コードを有する構造となっている。
【００３４】
出荷情報、納期情報、在庫情報、識別コードは、上述したので説明を省略する。発注受付番号は、発注内容通知ごとに割り当てられる番号であり、この番号により発注内容を特定する。商品コードは、同じ納品物であれば同じ商品コードとなる例えばＪＡＮコードのようなコードである。発注情報は、発注した日付が例として挙げられる。位置情報は、例えば北緯と東経からなる情報が例として挙げられる。
【００３５】
次に、図８のシーケンス図を用いて処理の流れについて説明する。図８は、発注端末１と、納品管理端末３と、納品物４と、ＧＰＳ衛星５との間の処理を示すシーケンス図である。なお、納品物４とは、ＧＰＳモジュールが取り付けられたものである。また、基地局は中継するのみなのでこの図では省略している。
【００３６】
ステップＳ１０１で、発注端末１から納品管理端末３に発注内容が通知される。発注内容が通知されると、納品管理端末３は、発注内容の形式的な整合性の確認をし、その発注内容を納品管理端末３自身に記録する発注受付処理が行われる。そして、納品管理端末３は、ステップＳ１０２で受付番号を発注端末１に通知する。
【００３７】
次に、納品管理端末３は、発注受付段階に対応するステップＳ１０３で、ユーザにより納期の入力が行われる。納品物にＧＰＳモジュールが取り付けられ、納品物が出荷されると、納品管理端末３は、納期情報入力段階に対応するステップＳ１０４で納期情報が入力される。次に納品管理端末３は、出荷情報入力段階に対応するステップＳ１０５で出荷情報が入力される。これにより、図７で示した納品管理端末用ＤＢの全ての項目が埋まることとなる。
【００３８】
次に、納品管理端末３は、情報出力段階に対応するステップＳ１０６で発注端末１に情報を出力する。この情報は、出荷情報と、納期情報と、在庫情報のうちの１つ以上の情報である。上述したように、これらの情報は、ＣＳＶフォーマットで記述されている。また、ここで出力される情報には、情報に対応した発注受付番号も通知される。ここで出力された情報は、図６で示した発注端末用ＤＢに記録される。
【００３９】
出荷された納品物４は、ステップＳ１０７に示されるように、ＧＰＳ衛星５を用いて自らの位置を取得する。そして、ステップＳ１０８に示されるように、納品物４と発注端末１との間では、位置情報が通知される。位置情報を取得した発注端末１は、位置確認処理を行う。位置確認処理は、位置情報を発注端末用ＤＢに記録する処理である。この場合、位置情報を画面に表示するようにしてもよい。
【００４０】
一定間隔をおいて、上記処理と同様の処理がステップＳ１１０、１１１、１１２に示されるように行われる。この図において、納品物４がＧＰＳ衛星を用いて位置情報を取得するタイミングと発注端末１が位置情報を取得するタイミングが同期を取っているようになっているが、特に同期を取る必要はない。なお、ステップＳ１０９、１１２は位置確認段階に対応する。
【００４１】
以上説明したように本実施の形態によれば、ステップＳ１０５に示されたように、出荷情報、納期情報、在庫情報が発注端末に自動的に通知されるので、発注した側では迅速に納品物に関する情報を取得することができる。そして、納品物が出荷されると、その位置が分かるため、何時ごろ納品物が到着するかのめどがたち、無駄な時間を使わずにすむことが可能となる。
【図面の簡単な説明】
【００４２】
【図１】本実施の形態における納品物管理システムの全体構成図である。
【図２】納品物へのＧＰＳモジュールの取り付け方の一例を示す図である。
【図３】コンピュータシステムのハードウェア構成図である。
【図４】発注端末のソフトウェアブロック図である。
【図５】納品管理端末のソフトウェアブロック図である。
【図６】発注端末用ＤＢの構造を示す図である。
【図７】納品管理端末用ＤＢの構造を示す図である。
【図８】発注端末と、納品管理端末と、納品物と、ＧＰＳ衛星との間の処理を示すシーケンス図である。
【符号の説明】
【００４３】
１  発注端末
２  ネットワーク
３  納品管理端末
４、４１  納品物
５  ＧＰＳ衛星
６  基地局
１４  表示装置
１６  演算処理装置
２０  入力装置
２２  ドライブ装置
２４  主記憶装置
２６  補助記憶装置
３４  記録媒体
５１  発注受付部
５２  納期情報入力部
５３  識別コード関連付け部
５４  出荷情報入力部
５５  情報出力部
６１  発注部
６２  位置確認部
６３  情報取得部
６４  情報閲覧部
【図１】
2006323601.tif 000003
【図２】
2006323601.tif 000004
【図３】
2006323601.tif 000005
【図４】
2006323601.tif 000006
【図５】
2006323601.tif 000007
【図６】
2006323601.tif 000008
【図７】
2006323601.tif 000009
【図８】
2006323601.tif 000010